(57)【要約】【課題】ランドセルに収容されている鍵などの小物を安全に収容し、かつ、可及的迅速に取り出すことができる小物用ポケット付きのランドセルを提供する。【解決手段】主収納部２の天部からその前段に位置する副収納部３の前面かけて蓋５をするランドセル１において、副収納部３が主収納部２の外面２ａと襠７とによって形成された略四角形の縁高の皿状の本体８と、この本体８の口部９、つまり縁高部の周縁７aに開閉自在に設けられている略四角形の蓋１０とからなり、この副収納部３の中に小物用ポケット４が取り付けられている。【選択図】図１
0003155999.tif 000002
【実用新案登録請求の範囲】
【請求項１】
主収納部と副収納部が奥行方向に連続形成されているランドセルにおいて、その副収納部の内面に小物用ポケットを取り付けているランドセル。
【請求項２】
前記小物用ポケットが、前記副収納部の内面の上部に設けられている請求項１記載のランドセル。
【請求項３】
前記小物用ポケットの口部に当該口部を覆うための天蓋が設けられている請求項１記載のランドセル。
【請求項４】
前記副収納部の内面に、小物用ポケットに収容する小物を吊り紐で吊るための吊り具を設けている請求項１記載のランドセル。
【考案の詳細な説明】
【技術分野】
【０００１】
本考案は、ランドセルの副収納部の中に他の収納物とは分けて、小物を収容することができる小物用ポケット付きのランドセルに関する。
【背景技術】
【０００２】
鍵などの小物はランドセルの背負いベルトに取り付けて携行するのが一般的である。このように鍵がランドセルから外出していると迅速に使用することができる反面、防犯上に問題がある。そのため、このような小物はランドセルの収納部に収容する方法もあるが、他の収納物と混在してしまうため迅速に取り出すのは困難である。
【０００３】
また、特許文献１には、バッグの本袋の中にパソコン専用の収納部を設けているのが開示されている。このパソコン専用の収納部は大型収納物を収容するためのものであるから、小物をこれに収納した場合、収納部の中で移動して迅速に取り出すのが困難という問題がある。
【先行技術文献】
【特許文献】
【０００４】
【特許文献１】特開２００２−０５８５３６
【考案の概要】
【考案が解決しようとする課題】
【０００５】
本考案は、ランドセルに収容されている鍵などの小物を安全に収容し、かつ、可及的迅速に取り出すことができる小物用ポケット付きのランドセルを提供することを技術課題とする。
【課題を解決するための手段】
【０００６】
本考案の小物用ポケット付きのランドセル（請求項１）は、主収納部と副収納部が奥行方向に連続形成されているランドセルにおいて、その副収納部の内面に小物用ポケットを取り付けていることを特徴としている。
【０００７】
前記小物用ポケットは、前記副収納部の内面の上部に設けられているのが好ましい（請求項２）。
【０００８】
前記小物用ポケットの口部には、当該口部を覆うための天蓋（あまぶた）を設けているのが好ましい（請求項３）。
【０００９】
前記副収納部の内面に、小物用ポケットに収容する小物を吊り紐で吊るための吊り具を設けるのが好ましい（請求項４）。
【考案の効果】
【００１０】
本考案のランドセル（請求項１）は、主収納部と副収納部が奥行方向に連続形成されている。この考案は、主に副教材などの小物を収容するための副収納部の内面に小物用ポケットを取り付けている。つまり、小物用ポケットは副収納部の中に取り付けられているので、小物用ポケットに収容される小物は、この副収納部に収容されるほかの小物とは区別される。したがって、小物用ポケットの中の小物は迅速に取り出すことができる。また、小物は副収納部と小物用ポケットとにより保護されるので、安全である。
【００１１】
前記小物用ポケットが、前記副収納部の内面の上部に設けられている場合（請求項２）、小型収納部に対する小物の出し入れが簡単、かつ、迅速に行える。
【００１２】
前記小物用ポケットの口部に、当該口部を覆うための天蓋を設けている場合（請求項３）、小物は一層、安全である。
【００１３】
前記副収納部の内面に、小物用ポケットに収容するための小物を吊り持する吊り具を設けている場合（請求項４）、この吊り具に吊り持された小物は、小物用ポケットから取り出すときに落下したり、また紛失したりするのが防止される。
【図面の簡単な説明】
【００１４】
【図１】本考案の小物収納ケース付きのランドセルの実施形態を示す開蓋状態の正面斜視図である。
【図２】ポケットの要部拡大図である。
【図３】図１の閉蓋状態の斜視図である。
【考案を実施するための形態】
【００１５】
図１のランドセル１は、一般に多見されるランドセルと同じように、主収納部２の前段に襠付きの副収納部３が設けられている。また、主収納部２の背面に有する背板４の上端に主収納部の上部から副収納部の前面までを覆う蓋５が取り付けられている。
この副収納部３の中には小物用ポケット６（以下、ポケットと称す）が取り付けられている。以下に詳しく説明する。
【００１６】
図１に示すように、副収納部３は、主収納部２の外面２ａと襠７とによって形成された略四角形の縁高の皿状の本体８と、この本体８の口部９、つまり縁高部の周縁７aに開閉自在に設けられている略四角形の蓋１０とからなる。前記縁高部の周縁７aと蓋１０の周縁の両側部及び上部はファスナー１１によって着脱自在になっている。また、下部では両者を縫着している。図１の二点鎖線で示すように、ファスナー１１を全開したとき、口部９は全面的に開口する。
【００１７】
ファスナー１１のスライダー１２は、図３に示すように２本、設けるのが好ましい。２本のスライダー１２は副収納部３の上部に配置させた状態でファスナー１１を閉じることができるので、ランドセル１の閉蓋状態においては、不外見となる。しかし、スライダーは１本であってもよい。
【００１８】
副収納部３の内面のうち、本体８の外面２aの上部には、図１及び図２に示すように、前記のポケット６が取り付けられている。そして、小物を吊り持する吊り具１５がこのポケット６に隣接して取り付けられている。ポケット６及び吊り具１５は、本体８の襠７の高さよりも低いので、口部９から突出することはない。つまり、ポケット６及び吊り具１５は、皿状の縁高の本体３の底面に設置され、かつ、その縁より突出しない状態で収められている。
【００１９】
ポケット６は、図２に示すように、本体１６と、その上部に形成されている口部１７を開閉自在とする天蓋１８とからなっている。閉じた状態の天蓋１８と本体１６との対向面には、雌雄のホック２０ａ、２０ｂがそれぞれ取り付けられている。なお、天蓋１８に変えて、口部をファスナーで開閉自在にしてもよい。また、本体１６は襠を設けて立体的に形成してもよい。
【００２０】
吊り具１５は、図２に示すように、外面２ａに固着する被連結具２１と、この被連結具２１に係合し、かつ、小物を吊り持させる連結具２２とからなっている。被連結具２１は環状部材２３と、この環状部材２３を外面２ａに取り付けるための取付部材２４とからなっている。取付部材２４は、環状部材２３に係合させて、外面２ａに鋲着２５されている。連結具２２は、伸縮自在の紐材２６と、この紐材の一端に設けているなす環２７と、同他端に設けている吊り環２８とからなっている。吊り環２８は金属線を円状に曲げ加工してなっている。この吊り環２８にはポケット６に収容される小物を連結して吊り持させる。例えば鍵の扁平状の持ち手部に穿設した穴にその吊り環２８の金属線の先端を挿入させれば吊り環２８に鍵を吊り持させることができる。
【００２１】
明らかなように、図１に示す鍵などの小物Mは、図３に示す閉蓋状態において、ポケット６と、副収納部３、そしてランドセル１の蓋５とによって三重に保護されるので、防犯上、もっとも安全な状態で収容される。したがって、小物Mは、ランドセルに目が行き届かない背負い状態、また、主収納部にあっても、安心して携帯することができる。また、ランドセル１の開蓋状態における外観についても、一般的なランドセルと同じく、主収納部２と副収納部３が外見されるが、ポケット４は外見されないので、その存在は分からない。したがって、安心して、蓋５の開閉作業ができる。
【００２２】
このように、ランドセルの蓋の開閉に関わらず、また、ランドセルの背負い状態に関わらず、第三者はポケット及びそのポケットの中の小物Mの存在には気付かないので、ランドセル、またはポケットに小物Mを収容しておくことは、極めて安全である。
【００２３】
また、ポケットは副収納部３の上部に設けられているので、副収納部３の下部には小物を収容するための十分なスペースが確保されている。また、ポケット６に収容された小物Ｍは、副収納部３に収容された小物Ｍとは混在しないので、簡単、かつ、迅速に出し入れができる。さらに、図２に示すように、吊り具１５に吊り持されている小物Ｍは、ポケット６からの取り出し時に落下、あるいは紛失が防止される。また、ポケット６の蓋１８、あるいは雌雄ホック２０ａ、２０ｂは、副収納部３の口部９に対向しているので、蓋１８の開閉作業は簡単に行うことができると共に、ポケット６への小物Ｍの出し入れも容易に行うことができる。
【符号の説明】
【００２４】
１  ランドセル
２  主収納部
３  副収納部
４  背板
５  蓋
６  小物用ポケット
７  襠
８  本体
９  口部
１０  蓋
１１  ファスナー
１２  スライダー
１５  吊り具
１６  本体
１７  口部
１８  蓋
２０ａ  ホックの雌
２０ｂ  ホックの雄
２１  被連結具
２２  連結具
２３  環状部材
２４  取付部材
２５  鋲着
２６  紐材
２７  なす環
２８  吊り環
Ｍ  小物
【図１】
0003155999.tif 000003
【図２】
0003155999.tif 000004
【図３】
0003155999.tif 000005